(57)【要約】      （修正有）【課題】差し込みと言った簡易な接合方法のみで組み立てることができ、かつ紙管の脱落を抑止したパレットを提供する。【解決手段】パレット１は、垂下部の長さ途中に垂下部を中央から縦方向に分割する折り線２１、２６が設けられた断面がＴ字状の左右桟２及び前後桟３と、円筒紙管の上下端に夫々２つずつ直径位置に縦切込みが配置された脚部４とにより構成される。縦切込みは、上下端面から垂直に切り込まれた垂直切込部分と、縦切込みの底の部分において左右に傾斜或いは平坦に広がるように切り込まれた水平切込部分が設けられており、前後桟３と左右桟２を格子状に多数に配置し、各格子点には脚部4を配置する。左右桟２、前後桟３の垂下部２２の折り線よりも先端部分を脚部４の水平切込部に挿入してパレット１を組み立てる。【選択図】図１
0003146722.tif 000002
【実用新案登録請求の範囲】
【請求項１】
板紙を多数積層して垂下部の端部が中央に向けて陥没状とし、垂下部の長さ途中に垂下部を中央から縦方向に分割する折り線が設けられた断面がＴ字状の左右桟と、
板紙を多数積層して垂下部の端部が中央に向けて陥没状とし、垂下部の長さ途中に垂下部を中央から縦方向に分割する折り線が設けられた断面がＴ字状の前後桟と、
円筒紙管の上下端に夫々２つずつ直径位置に配置され、かつ上下端の夫々の配置位置を結ぶ線が直交する位置において筒状の上下端面から周壁に切り込まれた縦切込みであって、当該縦切込みは、上下端面から垂直に切り込まれた垂直切込部分と、縦切込みの底の部分において左右に傾斜或いは平坦に広がるように切り込まれた水平切込部分と、垂直切込部分から水平切込部分へ至る肩口を広げるように設けられた逃切込部とを有する脚部と、を有し、
前記前後桟を前後に多数平行に配置され、前記左右桟を前記前後桟と直交するように多数平行に配置し、前記前後桟と前記左右桟の交差する格子点であって、前記前後桟と前記左右桟との間に脚部を配置され、前記左右桟を前記前後桟の垂下部の折り線よりも先端部分を前記脚部の水平切込部に挿入されてなるパレット。
【請求項２】
請求項１において、前記水平切込部分の長さは、前記左右桟及び前後桟の折り線から先端までの長さかそれよりもやや短いことを特徴とするパレット。
【請求項３】
請求項１において、前記水平切込部は中央から左右に傾斜状であることを特徴とするパレット。
【考案の詳細な説明】
【技術分野】
【０００１】
本願考案は、移送用パレット、特に紙管等を利用した紙製のパレットの改良に関する。
【背景技術】
【０００２】
１回の移送のために用いる所謂ワンウエィパレットとして紙を利用したパレットが、例えば特許文献１により知られている。これら開示される移送用パレットは、利用後に焼却処分ができるように、紙以外の材料を使用しないようにし、一方、要求される構造的な強度を得るための工夫がされている。
【０００３】
特許文献１においては、断面逆Ｌ字状又は断面逆Ｕ字状の桟と、上端から下方に向けて縦切り込みが設けられた管状の脚部（紙管）とを備え、Ｌ字状桟の垂下部を縦切り込みに、嵌入してパレットを組み立てている。
【特許文献１】実登第３００４２６９号
【考案の開示】
【考案が解決しようとする課題】
【０００４】
特許文献１においては、紙管に設けられた縦切り込みと、嵌入された桟の垂下部との間の摩擦抵抗のみで脚部が脱落することはないとされている。そして、必要に応じて、接着剤やステープラーで固定しておいても良いとされている。しかしながら、ワンウエィパレットにおいては、輸送先、輸送中においてどのような使い方をされるか予想されず、万が一、紙管が脱落すれば荷役を積載することが困難になる。特許文献１以外にも、Ｌ字状桟を対向させてＬ字状桟とし、垂下部を縦切り込みに嵌入するものも知られているが、このようなものも特許文献１と同様に、嵌入された桟の垂下部との間の摩擦抵抗のみで脚部を止めておくものであり、必要に応じて接着剤を理由するものとなっている。
【０００５】
しかしながら、接着剤或いはステープラーで脚部の脱落を防止しようとすると、パレットの組み立てに作業時間を要するものとなる。本考案は、使用に際しては、差し込みと言った簡易な接合方法のみで組み立てることができ、かつ紙管の脱落を抑止したパレットの提供を目的とする。
【課題を解決するための手段】
【０００６】
本考案のパレットは、板紙を多数積層して垂下部の端部が中央に向けて陥没状とし、垂下部の長さ途中に垂下部を中央から縦方向に分割する折り線が設けられた断面がＴ字状の左右桟と、板紙を多数積層して垂下部の端部が中央に向けて陥没状とし、垂下部の長さ途中に垂下部を中央から縦方向に分割する折り線が設けられた断面がＴ字状の前後桟と、円筒紙管の上下端に夫々２つずつ直径位置に配置され、かつ上下端の夫々の配置位置を結ぶ線が直交する位置において筒状の上下端面から周壁に切り込まれた縦切込みであって、当該縦切込みは、上下端面から垂直に切り込まれた垂直切込部分と、縦切込みの底の部分において左右に傾斜或いは平坦に広がるように切り込まれた水平切込部分と、垂直切込部分から水平切込部分へ至る肩口を広げるように設けられた逃切込部とを有する脚部と、を有し、前記前後桟を前後に多数平行に配置され、前記左右桟を前記前後桟と直交するように多数平行に配置し、前記前後桟と前記左右桟の交差する格子点であって、前記前後桟と前記左右桟との間に脚部を配置され、前記左右桟を前記前後桟の垂下部の折り線よりも先端部分を前記脚部の水平切込部に挿入されてなる。
【考案の効果】
【０００７】
以上、本考案に係るパレットによれば、使用に際しては、差し込みと言った簡易な接合方法のみで、簡単に組み立てることができ、垂下部の先端部分が脚部の切込内に広がっており、フォークリフトのフォークにより、この広がり状態が維持されたまま移送されるため、移送の際の脚部の脱落を防止することができる。
【考案を実施するための最良の形態】
【０００８】
図１は、本実施例による組み立てられた状態のパレット1の斜視図を示している。図中、紙面左右方向に伸びる左右桟２（２ａ、２ｂ、２ｃ）が、紙面奥行き方向に多数（図においては３本）配位され、紙面奥行き方向に伸びる前後桟３（３ａ、３ｂ、３ｃ）が紙面左右方向に多数（図においては３本）配置されている。左右桟２及び前後桟３は、断面がＴ字状であり、中央の垂直部分が垂下部２２である。紙面においては前後桟３が下側、左右桟２が上側に配置されて、２×２の格子を構成している。前後桟３と左右桟２とが交差する格子点には，前後桟３と左右桟２との間に筒状の紙管４が筒を縦に配位して配設されている。後述するように、左右桟２及び前後桟３の垂下部22は、その長さ途中に設けられた折り線２１、２６で左右に分割して折り曲げられ、脚部４に嵌入されている。
【０００９】
左右桟２ａ、２ｂ、２ｃ及び前後桟３ａ、３ｂ、３ｃは、本実施例では、共通の構造を有している。代表して左右桟２ａのみについて、図２を用いて説明する。左右桟２ａは、Ｌ字状および逆Ｌ字状のアングル板２０および２５からなっている。これらアングル板は背中合わせに配置され、両者間は接着剤により固定されて、桟２ａの垂下部２２を構成する。アングル板20は、厚さ１ｍｍのＬ字状の厚手の板紙２０ａ、２０ｂ、２０ｃを接着剤により積層し貼り合わせて、厚さ３ｍｍの断面Ｌ字状としたものである。板紙２０ａ、２０ｂ、２０ｃとして、同形のものを用いることにより、貼り合わせた際に垂下部２２において、各板紙の端部Ｑをステップ面とする階段状の段差Ｓ１、Ｓ２、Ｓ３を形成される。この階段状の段差は、垂下部２２の端部Ｐにおいて中央に向かって陥没するような段差を形成する。アングル板２５と背中合わせとなる面の反対側の面には、谷折となる折線２１が設けられている。一方、アングル板２５は、アングル板２０と同様であるが、板紙の配置においてアングル板２０と鏡面対象となっており、かつ折り線２１に対応する位置に折り線２６が設けられている。上記した接着剤で貼り合わせは、垂下部２２の端部Ｑと折り線２１、２６との間は実施されない。この結果、左右桟２ａ、２ｂ、２ｃ及び前後桟３ａ、３ｂ、３ｃは、その断面がＴ字状となる。
【００１０】
アングル板２０又は２５は、同形の板紙を張り合わせてから、接着剤が硬化する前に、折り曲げて硬化させても良い。この場合、垂下部２２となる方を自由端とし、逆側を挟んで固定して曲げることにより、上記例よりも大きい段差Ｓ１、Ｓ２、Ｓ３が形成されることになる。尚、板紙の厚みは、必要な強度に応じて変更することができる。
【００１１】
図３に脚部4を示す。脚部４は、図示のような円筒状の紙管が用いられる。その肉厚は、５ｍｍであるが、必要とされる強度に応じて変更することができる。脚部４の上面４１と下面42は、夫々周壁に対して垂直である。
【００１２】
この脚部４の上面４１から下方に向けて、縦切り込み４０が２つ、紙管の直径上に配置されている。脚部４の下面４２からも上方に向け縦切り込み５０が２つ紙管の直径上に配置されている。縦切り込み４０同士を結ぶ線と、縦切り込み５０同士を結ぶ線とは直交している。縦切り込み４０と５０とは、形状の向き（上方向か下方向か）が相違するだけであるので、図中、縦切り込み４０について代表して説明する。
【００１３】
縦切り込み４０は、全体としてＹ字状（或いはＴ字状）の切り込みであり、上面４１から垂直に下降するように切り込まれた垂直切込部分と、切り込みの底の部分で左右に傾斜して（或いは水平に）広がるよう切り込まれた水平切込部分を有している。図３紙面右側において、上面４１から垂直切込部分は、上面４１から垂直に下降した辺４３を輪郭とし、水平切込部分は点Ｒを頂点として右に傾斜して広がる辺４７、辺４７から垂直に立ち上がる辺４６及び、辺４７と平行な辺４５とを輪郭としている。縦切り込み４０はさらに、垂下部２２を縦切り込み４０に挿入した際に垂下部２２の先端Ｐ１が縦切り込み４０の底に到達したときに折り線２１が位置する地点Ｑから右に傾斜して広がる辺４４を有しており、辺４７の傾斜角は辺４４よりも大きいものとなっている。本実施例においては、辺４４の傾斜は４５度程度であり、辺４７の傾斜角は９０度に近い。辺４７の長さは、垂下部２２の先端部Ｐから折り線２１までの長さと同じか、やや短い程度となっている。縦切り込み４０の左半分もこれと対称な形状をしている。
【００１４】
辺４５と４７との間隔は、アングル板２０の厚さと同じかやや大きい程度であり、辺４３とこれに対向する辺との間隔は、左右桟２ａの厚さと同じかやや大きい程度である。辺４７は、後で説明する組み立てにおいて示すように、階段状の段差Ｓ１、Ｓ２、Ｓ３が滑る部位で在り、辺の形成の切り込みは直線となることが好ましい。辺４３、４５、４６は、図示のような直線である必要は必ずしも無く、アングル板２０の板厚が一部でも接触しながら納まる程度の精度であれば、切歯状でも良い。また、辺４４を輪郭とするように切り込まれた部分は、アングル板２０が折り線２１において折り曲げられる際の、逃げ領域となる切込部分であり（逃切込部分）、折り曲げを阻害しない範囲で、垂直切込部分から水平切込部分へ至る肩口を広げる切れ込みであれば良い。したがって、この部分を形作るには、辺４４は直線でなくとも良く、曲線あるいはその他の自由曲線を利用できる。
【００１５】
図１に示したパレット１の部品は、左右桟２、前後桟３が夫々３本、そして脚部４が９個である。左右桟２、前後桟３として、アングル板２０と２５を貼り合わせたものが共通して使用できるので、在庫として管理するのが容易である。
【００１６】
パレットの組立は、まず前後桟３ａ、３ｂ、３ｃとし、垂下部２２を上に向けて平行に並べる。その上に脚部４を３個ずつ等間隔に配置する。この際、垂下部２２を縦切り込み５０に挿入するのであるが、図４を用いてその際の状況を説明する。
【００１７】
図４Ａは、前後桟３ａの垂下部２２を縦切り込み５０に位置付けた状態を示している。脚部４の垂下部２２を縦切り込み５０に挿入すると、前後桟３ａの垂下部２２の先端部Ｑが、点Ｒの左右何れかの辺４７位置に接触する。先に述べたように、垂下部２２の先端部Ｑは陥没状となっており、図の場合、段差Ｓ１が辺４７に接触する（図４Ｂ）。これが動機付けとなり、脚部４を更に押し込むと、折り線２１、２６のところで垂下部２２は左右に分かれて折れ曲がっていく。辺４７が下面４２と平行でなく傾斜があれば有るほど、折れ曲りに要する脚部４の押し込み力は小さくなる（図４Ｃ）。さらに脚部4を押し込むと（図４Ｄ）、垂下部２２の折れ曲がり面は辺４7に面接触し、これ以上の折れ曲がりは制止される。この際、分かれた垂下部２２の先端部において、辺４６に到達するが、段差Ｓ１からとＳ３の階段状構成であるので、段差Ｐ１が辺４６に食い込む形となる。これは、脚部４が垂下部２２上で位置ずれを起こすのを抑止する。
【００１８】
前後桟３ａ、３ｂ、３ｃに脚部４を組み込んだ後、左右桟２ａ、2b、２ｃを左右方向に平行に配置する。そして、垂下部２２を脚部４の縦切り込み４０にあわせた後、挿入する。垂下部２２を縦切り込み４０との嵌め込み方は、図４に示した、垂下部２２を脚部４の縦切り込み５０と同じであるので説明を省略する。
【００１９】
パレット１の組み立てにおいては、接着剤やステープラーを用いずよいため、短時間に組みあがる。また、在庫の際には前後桟（左右桟）と脚部の状態で保管されるため在庫や移送が可能であり、使用に際しては、差し込みと言った簡易な接合方法のみで、簡単に組み立てることができ、また使用後は、簡単に分解することができる。移送用パレットをフォークリフトで移送する際には、フォークを左右桟３の垂下部２２の下に差し込んで持ち上げる。垂下部２２の折り線２１、２６より先端部分が広がっており、フォークリフトのフォークにより、この広がり状態が維持されたまま移送されるため、脚部４が脱落することは無い。
【００２０】
尚、本実施例においては、辺４７を辺４４の傾きよりも大きく、９０度程度としたが、４５度から９０度の範囲であれば良い。尚、９０度の際には、Ｔ字状の切り込みとなる。４５度に近い範囲においては、フォークリフトで持ち上げた際に、フォークにより垂下部２２の折り線２１、２６より先端部分が破損する可能性があるが、脚部４の脱落抑止効果を喪失することは無い。
【００２１】
実施例では、脚部４の上下に縦切り込み４０、５０を設けたが、一方のみとし、他方はＩ字状の切り込みとしても良い。
【図面の簡単な説明】
【００２２】
【図１】本実施例のパレット１の斜視図である。
【図２】左右桟２ａを示す図である。
【図３】脚部４を示す図である。
【図４】垂下部２２を縦切り込み５０に挿入の組み立て方法を示す図である。
【符号の説明】
【００２３】
１：パレット
２：左右桟
３：前後桟
４：脚部
２０、２５：アングル板
【図１】
0003146722.tif 000003
【図２】
0003146722.tif 000004
【図３】
0003146722.tif 000005
【図４】
0003146722.tif 000006